(57)【要約】【課題】複数の木製板にネジ孔を設けなくても、それらの木製板を隣り合って並ぶよう木製の根太へ固定することを可能とする。【解決手段】板固定金具５０は、木製の根太２５４の上に、一方の木製板と他方の木製板とを隣り合って並ぶように連結するためのものである。板固定金具５０は、被固定部と、一方進入部と、他方進入部とを備える。被固定部は、根太２５４に固定される。一方進入部は、打ち込み治具３００から受けた衝撃によって、木製板２５０に進入する。他方進入部は、一方進入部とは反対側を向き、木製板２５０に進入する。被固定部が貫通孔を有している。被固定部が、貫通孔に貫通装着される木ネジ４００によって根太２５４に固定される。【選択図】図４
2011026784.tif 000002
【特許請求の範囲】
【請求項１】
木製の根太の上に、一方の木製板に対して他方の木製板を隣り合って並ぶように連結するための板固定金具であって、
前記一方の木製板と前記他方の木製板との対向面間に、前記一方の木製板の上面と前記他方の木製板の上面とから突出しない状態で介在するように、前記根太に固定される被固定部と、
前記被固定部から前記一方の木製板方向へ、前記一方の木製板の上面から突出しない状態で横向きに設けられ、前記一方の木製板の対向面に進入する一方進入部と、
前記被固定部から前記他方の木製板方向へ、前記他方の木製板の上面から突出しない状態で横向きに設けられ、前記他方の木製板の対向面に進入する他方進入部とを備え、
前記被固定部が貫通孔を有しており、前記被固定部が、前記貫通孔に貫通装着される止具によって前記根太に固定されることを特徴とする、板固定金具。
【請求項２】
前記貫通孔の中心軸が、前記他方進入部が向いている方向に対して斜めに交差していることを特徴とする、請求項１に記載の板固定金具。
【請求項３】
前記他方進入部が、複数の先端部に分岐しており、
前記貫通孔が、前記複数の先端部の間に対向していることを特徴とする、請求項２に記載の板固定金具。
【請求項４】
前記貫通孔の中心軸が、前記一方進入部の固定箇所と前記他方進入部の固定箇所との間を貫通していることを特徴とする、請求項２に記載の板固定金具。
【請求項５】
前記一方進入部の先端が、その付け根よりも薄くなっており、
前記他方進入部の先端が、その付け根よりも薄くなっていることを特徴とする、請求項１に記載の板固定金具。
【発明の詳細な説明】
【技術分野】
【０００１】
本発明は、板固定金具に関し、複数の木製板それぞれにネジ孔あるいは釘孔を設けなくても、それらの木製板を隣り合って並ぶよう柱状の木製の根太へ固定するための板固定金具に関する。
【背景技術】
【０００２】
複数の平行な木製床板を根太に留めることにより、屋外で使用するための木製デッキを構築することがある。この場合、木製床板はネジあるいは釘によって根太に留められる。そのため、貫かれたネジあるいは釘が上部から見える。木製床板のうちネジあるいは釘に貫かれた箇所の多くにおいて、その箇所の表面が割れて開く。その表面が割れて開くため、亀裂および突出したとげがそこに形成される。木製床板の上を裸足で歩く子供たちは怪我をしやすくなる。さらに、ネジ孔あるいは釘孔を介して水分が浸透し、木製床板を腐食し損傷する。気象によってネジ孔あるいは釘孔のまわりが変色するため、既に美しくないネジあるいは釘の外見がいっそう目立つ。これらの問題を解決するため、何種類かの発明が提案されている。
【０００３】
特許文献１は、デッキを開示する。このデッキは、根太と、床板と、固定金具とを有する。根太は、所定の間隔を開けて平行に配置される。根太には、係止縁部が設けられる。係止縁部は、根太の上部の両側から内向に屈曲している部分である。これら係止縁部の間に開口部が形成される。床板は、根太と交差する方向に配置される。床板の長手側の両側面部には溝部が形成される。固定金具は、根太の係止縁部に一端部を引っ掛ける一方、床材の溝部に他端部を引っ掛けて両者を結合する。これにより、根太に床板が固定される。特許文献１に記載されているデッキによれば、迅速かつ容易に床の敷設が行える。
【０００４】
特許文献２も、デッキを開示する。このデッキは、根太と床板と連結金具とを備えるものである。根太上に、床面を構成する複数の床板が間隔をおいて平行に配列される。床板と根太とが連結金具を介して一体に連結される。このデッキにおいて、床板の両側面に凹溝（連結金具の押さえプレートを係止するためのもの）が形成されている。連結金具は、受座プレートと押さえプレートとからなる。受座プレート（根太に固定される部分にネジ孔を有している）と、押さえプレート（デッキ材両側面の凹溝内に係止される）との間が、上方から挿通したネジにより連結される。受座プレートと押さえプレートとの間に、セパレータが設けられている。セパレータは、ネジの締め付けにより屈曲可能である。特許文献２に記載されているデッキによれば、簡単な操作で、根太と床板とを、しっかりと圧着固定できる。
【先行技術文献】
【特許文献】
【０００５】
【特許文献１】特開２００２−１６１６３２号公報
【特許文献２】特開２００６−６３７４７号公報
【発明の概要】
【発明が解決しようとする課題】
【０００６】
しかしながら、特許文献１および特許文献２に開示されたデッキには、特殊な構造の床板と特殊な構造の根太とを必要とするという問題点があった。特殊な構造の床板と特殊な構造の根太とを必要とするので、そのような根太あるいは床板の入手が困難なことがある。それらの入手が困難な場合、デッキの一部が破損しても、それを修理することが困難なことがある。
【０００７】
本発明は、このような問題を解消するためになされたものであり、その目的とするところは、複数の木製板にネジ孔を設けなくても、それらの木製板を隣り合って並ぶよう木製の根太へ固定することが可能な板固定金具を提供することにある。
【課題を解決するための手段】
【０００８】
図面を参照して本発明の板固定金具を説明する。なお、この欄で図中の符号を使用したのは、発明の内容の理解を助けるためであって、内容を図示した範囲に限定する意図ではない。
【０００９】
上記課題を解決するために、本発明のある局面に従うと、板固定金具５０，１００，１５０，２００は、木製の根太２５４の上に、一方の木製板２５０に対して他方の木製板２５０を隣り合って並ぶように連結するためのものである。板固定金具５０，１００，１５０，２００は、被固定部６０，１１０，１６０，２１０と、一方進入部６２，１２０，１６２，２２０と、他方進入部６４，１２２，１６４，２２２とを備える。被固定部６０，１１０，１６０，２１０は、一方の木製板２５０と他方の木製板２５０との対向面２６０，２６０間に、一方の木製板２５０の上面２６２と他方の木製板２５０の上面２６２とから突出しない状態で介在するように、根太２５４に固定される。一方進入部６２，１２０，１６２，２２０は、被固定部６０，１１０，１６０，２１０から一方の木製板２５０方向へ、一方の木製板２５０の上面２６２から突出しない状態で横向きに設けられ、一方の木製板２５０の対向面２６０に進入する。他方進入部６４，１２２，１６４，２２２は、被固定部６０，１１０，１６０，２１０から他方の木製板２５０方向へ、他方の木製板２５０の上面２６２から突出しない状態で横向きに設けられ、他方の木製板２５０の対向面２６０に進入する。被固定部６０，１１０，１６０，２１０が貫通孔８０，１３０，１８０，２３０を有している。被固定部６０，１１０，１６０，２１０が、貫通孔８０，１３０，１８０，２３０に貫通装着される止具４００によって根太２５４に固定される。
【００１０】
一方進入部６２，１２０，１６２，２２０が、一方の木製板２５０の対向面２６０に進入する。他方進入部６４，１２２，１６４，２２２は、他方の木製板２５０の対向面２６０に進入する。これにより、一方の木製板２５０と他方の木製板２５０とが、隣り合って並ぶので、被固定部６０，１１０，１６０，２１０が、根太２５４に固定された時、一方進入部６２，１２０，１６２，２２０が進入した一方の木製板２５０と他方進入部６４，１２２，１６４，２２２が進入した他方の木製板２５０とは、根太２５４に固定されることとなる。その結果、複数の木製板２５０，２５０にネジ孔を設けなくても、それらの木製板を隣り合って並ぶよう木製の根太へ固定することができる。
【００１１】
また、上述した貫通孔８０，１３０，１８０の中心軸が、他方進入部６４，１２２，１６４が向いている方向に対して斜めに交差していることが望ましい。
【００１２】
貫通孔８０，１３０，１８０の中心軸は、他方進入部６４，１２２，１６４が向いている方向に対して斜めに交差している。これにより、一方進入部６２，１２０，１６２を先に一方の木製板２５０に進入させるか、それとも他方進入部６４，１２２，１６４を先に他方の木製板２５０に進入させるかを誤らなければ、それらの一方を実施した後に被固定部６０，１１０，１６０を止具４００によって根太２５４に固定する際、貫通孔８０，１３０，１８０の中心軸が他方進入部６４，１２２，１６４の突出方向に対して直交している場合に比べ、一方進入部６２，１２０，１６２または他方進入部６４，１２２，１６４が既に進入した木製板から離れた場所で固定のための工具を扱うことが容易になる。それが容易になるので、一方進入部６２，１２０，１６２または他方進入部６４，１２２，１６４が既に進入した木製板をその工具によって傷つける可能性が低くなる。その結果、木製板にネジ孔を設ける場合に比べ、木製板を傷つける可能性が低くなる。
【００１３】
もしくは、上述した他方進入部６４が、複数の先端部７２，７２に分岐していることが望ましい。この場合、貫通孔８０が、それら複数の先端部７２，７２の間に対向している。
【００１４】
貫通孔８０が、それら複数の先端部７２，７２の間に対向していると、被固定部６０を止具４００によって根太２５４に固定する固定のための工具の先端は、先端部７２，７２の間に入ることとなる。これにより、一方進入部６２が既に進入した一方の木製板２５０を先端部７２，７２が保護することとなる。その結果、木製板にネジ孔を設ける場合に比べ、木製板を傷つける可能性が低くなる。その結果、木製板にネジ孔を設ける場合に比べ、木材板を保護することが可能になる。
【００１５】
もしくは、上述した貫通孔１３０，１８０の中心軸が、一方進入部１２０，１６２の固定箇所と他方進入部１２２，１６４の固定箇所との間を貫通していることが望ましい。
【００１６】
また、上述した一方進入部６２，１２０，１６２，２２０の先端９０，１４０，１９０，２７０が、その付け根よりも薄くなっていることが望ましい。この場合、他方進入部６４，１２２，１６４，２２２の先端９２，１４２，１９２，２７２が、その付け根よりも薄くなっていることが望ましい。
【００１７】
一方進入部６２，１２０，１６２，２２０の先端９０，１４０，１９０，２７０が、その付け根よりも薄くなっていると、くさび作用により、スムーズに一方の木製板２５０の対向面２６０の中に食い込んでいく。他方進入部６４，１２２，１６４，２２２の先端９２，１４２，１９２，２７２が、その付け根よりも薄くなっていると、くさび作用により、スムーズに他方の木製板２５０の対向面２６０の中に食い込んでいく。
【発明の効果】
【００１８】
以上のように、本発明にかかる板固定金具によれば、複数の木製の板にネジ孔を設けなくても、それらの木製の板を隣り合って並ぶよう木製の根太へ固定できる。
【図面の簡単な説明】
【００１９】
【図１】本発明の第１の実施形態にかかる板固定金具の斜視図である。
【図２】本発明の第１の実施形態にかかる板固定金具の、正面図，右側面図，背面図，平面図，および，底面図である。
【図３】本発明の第１の実施形態にかかる打ち込み治具である。
【図４】本発明の第１の実施形態にかかる板固定金具によって床板を根太に固定している状況を示す図である。
【図５】本発明の第１の実施形態にかかる板固定金具によって床板を根太に固定された状況を示す断面図である。
【図６】本発明の第２の実施形態にかかる板固定金具の斜視図である。
【図７】本発明の第２の実施形態にかかる板固定金具の、正面図，右側面図，背面図，平面図，および，底面図である。
【図８】本発明の第２の実施形態にかかる板固定金具によって床板を根太に固定している状況を示す図である。
【図９】本発明の第３の実施形態にかかる板固定金具の斜視図である。
【図１０】本発明の第３の実施形態にかかる板固定金具の、正面図，右側面図，背面図，平面図，および，底面図である。
【図１１】本発明の第４の実施形態にかかる板固定金具の斜視図である。
【図１２】本発明の第４の実施形態にかかる板固定金具の、正面図，右側面図，背面図，平面図，および，底面図である。
【図１３】本発明の第３の実施形態の変形例にかかる床板金具の平面図である。
【発明を実施するための形態】
【００２０】
以下、図面を参照しつつ、本発明の実施の形態について説明する。以下の説明では、同一の部品には同一の符号を付してある。それらの名称および機能も同一である。したがって、それらについての詳細な説明は繰返さない。
【００２１】
<第１の実施形態>
以下、本発明の第１の実施形態について説明する。
図１は、本実施形態にかかる板固定金具５０の斜視図である。図２は、本実施形態にかかる板固定金具５０の、正面図，右側面図，背面図，平面図，および，底面図である。左側面図は、右側面図と対称に現れるため、ここには示さない。図１および図２を参照しつつ、本実施形態にかかる板固定金具５０の構造について説明する。
【００２２】
本実施形態にかかる板固定金具５０は、被固定部６０と、一方進入板６２と、他方進入板６４とを備える。一方進入板６２と他方進入板６４とは、被固定部６０に横向きに固定されている。一方進入板６２は、木製床板２５０（ちなみに、本実施形態における木製床板２５０は、従来より流通している汎用材である。）の対向面２６０に食い込む。他方進入板６４は、一方進入板６２とは反対側を向いている。他方進入板６４は、前述した木製床板２５０とは異なる木製床板２５０の対向面２６０に食い込む。本実施形態において、一方進入板６２は、被固定部６０から一方の木製床板２５０方向へ向かい、かつ、一方の木製床板２５０の上面２６２から突出しないよう、横向きに設けられることとなる。他方進入板６４は、被固定部６０から他方の木製床板２５０方向へ向かい、かつ、他方の木製床板２５０の上面２６２から突出しないよう、横向きに設けられることとなる。
【００２３】
一方進入板６２の先端９０は、その付け根よりも薄くなっている。他方進入板６４の先端９２も、その付け根よりも薄くなっている。
【００２４】
被固定部６０は、貫通孔８０を有する。本実施形態にかかる貫通孔８０の中心軸は、一方進入板６２の向きおよび他方進入板６４の向きに対して斜めに交差している。これにより、本実施形態にかかる貫通孔８０は、被固定部６０の、一方進入板６２が突出する側面から他方進入板６４が突出する側面へ近付くにつれ、他方進入板６４に近付く。
【００２５】
一方進入板６２は、複数の先端部７０に分岐している。他方進入板６４も、複数の先端部７２に分岐している。貫通孔８０は、他方進入板６４の先端部７２同士の間に対向している。本実施形態において、先端部７０の形状と先端部７２の形状とは、平鑿状である。
【００２６】
図３は、本実施形態にかかる打ち込み治具３００の斜視図である。この打ち込み治具３００は、把持部３０２と、打ち込み部３０４とを備える。把持部３０２は、作業者がしっかりと手に持って打ち込み部３０４を板固定金具５０にあてがうための部分である。打ち込み部３０４は、板固定金具５０に衝撃力を加え、木製床板２５０に板固定金具５０を食い込ませるための部分である。なお、図３では、把持部３０２の一部を省略して示している。
【００２７】
図４は、本実施形態にかかる板固定金具５０によって木製床板２５０を根太２５４に固定している状況を示す図である。図４を参照しつつ、板固定金具５０によって木製床板２５０を根太２５４に固定するための手順を説明する。
【００２８】
まず、作業者は、平行に並べられた根太２５４の上にこれと直交するように木製床板２５０を置く。木製床板２５０が置かれると、作業者は、木製床板２５０と根太２５４とが交差するところに、板固定金具５０を置く。
【００２９】
板固定金具５０が置かれると、作業者は、木製床板２５０を図示しない足で押さえ、図４に示すように、打ち込み治具３００の打ち込み部３０４を板固定金具５０にあてがい、図示しないハンマーによって、打ち込み部３０４を繰返し叩く。打ち込み部３０４を叩いたことに起因する衝撃力によって、板固定金具５０の一方進入板６２が木製床板２５０の対向面２６０に打ち込まれる。一方進入板６２の先端９０は、その付け根より薄くなっているので、くさび作用により、スムーズに木製床板２５０の対向面２６０の中に食い込んでいく。
【００３０】
一方進入板６２が木製床板２５０に十分食い込むと、作業者は、貫通孔８０に、木ネジ４００を挿入し（これにより木ネジ４００が貫通孔８０に装着される）、ドライバーで木ネジ４００を根太２５４にネジ込む。これにより、板固定金具５０は、根太２５４にネジ止めされる。
【００３１】
板固定金具５０が根太２５４にネジ止めされると、作業者は、その板固定金具５０の傍（根太２５４の上）に、図示しない新たな木製床板２５０を、先ほど一方進入板６２が食い込んだ木製床板２５０と隣り合うよう並べる。新たな木製床板２５０が並べられると、作業者は、その木製床板２５０の側面（板固定金具５０に対向していない側）を図示しないハンマーで繰り返し叩く。木製床板２５０の側面を叩いたことに起因する衝撃力によって、板固定金具５０の他方進入板６４はその木製床板２５０の対向面２６０に食い込んでいく。図５は、板固定金具５０が木製床板２５０，２５０に十分食い込んだときの、断面図である（ちなみに、図５において木ネジ４００の傾きがもっと急であってもよいことは言うまでもない。ただし、木ネジ４００の傾きをもっと急にする場合、板固定金具５０を製造する際、貫通孔８０の傾きをもっと急なものとしなければならない）。板固定金具５０の被固定部６０は、一方の木製床板２５０と他方の木製床板２５０との対向面２６０，２６０間に、一方の木製床板２５０の上面２６２と他方の木製床板２５０の上面２６２とから突出しない状態で介在するように、根太２５４に固定される。
【００３２】
以上のようにして、本実施形態にかかる板固定金具５０は、平行に置かれた木製床板２５０，２５０同士をつなぎ、かつ、根太２５４にこれらを固定する。これにより、木製床板２５０，２５０に木ネジ４００を直接ネジ込まなくても、木製床板２５０，２５０を根太２５４に固定できる。木製床板２５０，２５０に木ネジ４００を直接ネジ込まなくてもよいので、木製床板２５０，２５０にネジ孔を設ける必要がなくなる。また、隣り合って並ぶよう置かれた木製床板２５０，２５０同士をつなぎ、かつ、根太２５４にこれらを固定するので、デッキが構築される。
【００３３】
しかも、本実施形態にかかる板固定金具５０において、貫通孔８０の中心軸が、一方進入板６２の突出方向および他方進入板６４の突出方向に対して斜めに交差している。これにより、木ネジ４００その他の止具によって板固定金具５０を根太２５４に固定させる際、そのための工具（本実施形態の場合はドライバー）を、木製床板２５０に衝突しない方向へ傾けることが容易になる。それが容易になるので、その工具が木製床板２５０に衝突する可能性を低くできる。その可能性が低くなるので、木製床板２５０がその工具によって破損する可能性も低くできる。その結果、木製床板２５０にネジ孔を設ける場合に比べ、木製床板２５０を傷つける可能性を低くする板固定金具５０を提供できる。
【００３４】
その上、本実施形態にかかる板固定金具５０において、他方進入板６４は、複数の先端部７２に分岐している。さらに、貫通孔８０の中心軸は、他方進入板６４の先端部７２同士の間に対向している。これにより、止具によって板固定金具５０を根太２５４に固定させる際、他方進入板６４を、上述した工具が木製床板２５０に衝突しないよう保護するための保護板として機能させることができる。他方進入板６４をそのように機能させることができるので、その工具が木製床板２５０に衝突する可能性を低くできる。その結果、木製床板２５０を根太２５４に固定する際に、これを保護することが可能な板固定金具５０を提供できる。
【００３５】
<第２の実施形態>
以下、本発明の第２の実施形態について説明する。
図６は、本実施形態にかかる板固定金具１００の斜視図である。図７は、本実施形態にかかる板固定金具１００の、正面図，右側面図，背面図，平面図，および，底面図である。左側面図は、右側面図と対称に現れるため、ここには示さない。図６および図７を参照しつつ、本実施形態にかかる板固定金具１００の構造について説明する。
【００３６】
本実施形態にかかる板固定金具１００は、被固定部１１０と、一方進入板１２０と、他方進入板１２２とを備える。一方進入板１２０と他方進入板１２２とは、被固定部１１０に横向きに固定されている。一方進入板１２０は、木製床板２５０に食い込む。他方進入板１２２は、一方進入板１２０とは反対側を向いている。他方進入板１２２は、前述した木製床板２５０とは異なる木製床板２５０に食い込む。本実施形態においても、一方進入板１２０は、被固定部１１０から一方の木製床板２５０方向へ向かい、かつ、一方の木製床板２５０の上面２６２から突出しないよう、横向きに設けられることとなる。他方進入板１２２は、被固定部１１０から他方の木製床板２５０方向へ向かい、かつ、他方の木製床板２５０の上面２６２から突出しないよう、横向きに設けられることとなる。
【００３７】
一方進入板１２０の先端１４０は、その付け根よりも薄くなっている。他方進入板１２２の先端１４２も、その付け根よりも薄くなっている。
【００３８】
被固定部１１０は、貫通孔１３０を有する。本実施形態にかかる貫通孔１３０の中心軸は、一方進入板１２０の向きおよび他方進入板１２２の向きに対して斜めに交差している。これにより、図７（ｂ）などから明らかな通り、本実施形態にかかる貫通孔１３０は、被固定部１１０の、一方進入板１２０が突出する側面から他方進入板１２２が突出する側面へ近付くにつれ、他方進入板１２２に近付く。
【００３９】
貫通孔１３０の中心軸は、一方進入板１２０の突出位置と、他方進入板１２２の突出位置との間を通っている。
【００４０】
図８は、本実施形態にかかる板固定金具１００によって木製床板２５０を根太２５４に固定している状況を示す図である。図８を参照しつつ、板固定金具１００によって木製床板２５０を根太２５４に固定するための手順を説明する。
【００４１】
まず、作業者は、平行に並べられた根太２５４の上にこれと直交するように木製床板２５０を置く。木製床板２５０が置かれると、作業者は、木製床板２５０と根太２５４とが交差するところに、板固定金具１００を置く。
【００４２】
板固定金具１００が置かれると、作業者は、木製床板２５０を図示しない足で押さえ、図８に示すように、ハンマー３１２によって、被固定部１１０のうち一方進入板１２０の突出位置の背面にあたる部分（他方進入板１２２が突出していない部分）を繰返し叩く。この部分を叩いたことに起因する衝撃力によって、板固定金具１００の一方進入板１２０が木製床板２５０の対向面２６０に打ち込まれる。一方進入板１２０の先端１４０は、その付け根より薄くなっているので、くさび作用により、スムーズに木製床板２５０の対向面２６０中に食い込んでいく。
【００４３】
他方進入板１２２が木製床板２５０に十分食い込むと、作業者は、貫通孔１３０に木ネジ４００を挿入し（これにより木ネジ４００が貫通孔８０に装着される）、ドライバーで木ネジ４００を根太２５４にネジ込む。これにより、板固定金具１００は、根太２５４にネジ止めされる。
【００４４】
板固定金具１００が根太２５４にネジ止めされると、作業者は、その板固定金具１００の傍（根太２５４の上）に、図示しない新たな木製床板２５０を、先ほど一方進入板１２０が食い込んだ木製床板２５０と隣り合うよう並べる。新たな木製床板２５０が並べられると、作業者は、その木製床板２５０の側面（板固定金具１００に対向していない側）をハンマー３１２で繰り返し叩く。木製床板２５０の側面を叩いたことに起因する衝撃力によって、板固定金具１００の他方進入板１２２はその木製床板２５０の対向面２６０に食い込んでいく。板固定金具１００の被固定部１１０は、一方の木製床板２５０と他方の木製床板２５０との対向面２６０，２６０間に、一方の木製床板２５０の上面２６２と他方の木製床板２５０の上面２６２とから突出しない状態で介在するように、根太２５４に固定される。
【００４５】
以上のようにして、本実施形態にかかる板固定金具１００は、平行に置かれた木製床板２５０，２５０同士をつなぎ、かつ、根太２５４にこれらを固定する。これにより、木製床板２５０，２５０に木ネジ４００を直接ネジ込まなくても、木製床板２５０，２５０を根太２５４に固定できる。木製床板２５０，２５０に木ネジ４００を直接ネジ込まなくてもよいので、木製床板２５０，２５０にネジ孔を設ける必要がなくなる。また、平行に置かれた木製床板２５０，２５０同士をつなぎ、かつ、根太２５４にこれらを固定するので、デッキが構築される。
【００４６】
しかも、本実施形態にかかる板固定金具１００において、貫通孔１３０の中心軸が、一方進入板１２０の突出方向および他方進入板１２２の突出方向に対して斜めに交差している。これにより、木ネジ４００その他の止具によって板固定金具１００を根太２５４に固定させる際、そのための工具を、木製床板２５０に衝突しない方向へ傾けることが容易になる。それが容易になるので、その工具が木製床板２５０に衝突する可能性を低くできる。その可能性が低くなるので、木製床板２５０がその工具によって破損する可能性も低くできる。その結果、木製床板２５０を損なう可能性を低くする板固定金具１００を提供できる。
【００４７】
<第３の実施形態>
以下、本発明の第３の実施形態について説明する。
図９は、本実施形態にかかる板固定金具１５０の斜視図である。図１０は、本実施形態にかかる板固定金具１５０の、正面図，右側面図，背面図，平面図，および，底面図である。左側面図は、右側面図と対称に現れるため、ここには示さない。図９および図１０を参照しつつ、本実施形態にかかる板固定金具１５０の構造について説明する。
【００４８】
本実施形態にかかる板固定金具１５０は、被固定部１６０と、一方進入板１６２と、他方進入板１６４とを備える。一方進入板１６２と他方進入板１６４とは、被固定部１６０に横向きに固定されている。一方進入板１６２は、木製床板２５０の対向面２６０に食い込む。他方進入板１６４は、一方進入板１６２とは反対側を向いている。他方進入板１６４は、前述した木製床板２５０とは異なる木製床板２５０の対向面２６０に食い込む。
【００４９】
一方進入板１６２の先端１９０は、その付け根よりも薄くなっている。他方進入板１６４の先端１９２も、その付け根よりも薄くなっている。
【００５０】
被固定部１６０は、貫通孔１８０を有する。本実施形態にかかる貫通孔１８０の中心軸は、一方進入板１６２の向きおよび他方進入板１６４の向きに対して斜めに交差している。そして、貫通孔１８０の中心軸が、一方進入板１６２の固定箇所と他方進入板１６４の固定箇所との間を貫通している。
【００５１】
一方進入板１６２は、複数の先端部１７０に分岐している。他方進入板１６４も、複数の先端部１７２に分岐している。第１実施形態にかかる先端部７０や先端部７２とは異なり、本実施形態において、先端部１７０と先端部１７２とは、尖っている。
【００５２】
本実施形態にかかる板固定金具１５０を木製床板２５０と根太２５４とに取り付けるための手順は、第１の実施形態にかかる板固定金具５０によって木製床板２５０を根太２５４に取り付けるための手順とまったく同一である。したがって、ここではその詳細な説明を繰返さない。
【００５３】
以上のようにして、本実施形態にかかる板固定金具１５０は、平行に置かれた木製床板２５０，２５０同士をつなぎ、かつ、根太２５４にこれらを固定する。これにより、木製床板２５０，２５０に木ネジ４００を直接ネジ込まなくても、木製床板２５０，２５０を根太２５４に固定できる。木製床板２５０，２５０に木ネジ４００を直接ネジ込まなくてもよいので、木製床板２５０，２５０にネジ孔を設ける必要がなくなる。また、平行に置かれた木製床板２５０，２５０同士をつなぎ、かつ、根太２５４にこれらを固定するので、デッキが構築される。
【００５４】
しかも、本実施形態にかかる板固定金具１５０において、貫通孔１８０の中心軸が、一方進入板１６２の突出方向および他方進入板１６４の突出方向に対して斜めに交差している。これにより、木ネジ４００その他の止具によって板固定金具１５０を根太２５４に固定させる際、そのための工具を、木製床板２５０に衝突しない方向へ傾けることが容易になる。それが容易になるので、その工具が木製床板２５０に衝突する可能性を低くできる。その可能性が低くなるので、木製床板２５０がその工具によって破損する可能性も低くできる。その結果、木製床板２５０を損なう可能性を低くする板固定金具１５０を提供できる。
【００５５】
<第４の実施形態>
以下、本発明の第４の実施形態について説明する。
図１１は、本実施形態にかかる板固定金具２００の斜視図である。図１２は、本実施形態にかかる板固定金具２００の、正面図，右側面図，背面図，平面図，および，底面図である。左側面図は、右側面図と対称に現れるため、ここには示さない。図１１および図１２を参照しつつ、本実施形態にかかる板固定金具２００の構造について説明する。
【００５６】
本実施形態にかかる板固定金具２００は、被固定部２１０と、一方進入板２２０と、他方進入板２２２とを備える。一方進入板２２０と他方進入板２２２とは、被固定部２１０に横向きに固定されている。一方進入板２２０は、木製床板２５０の対向面２６０に食い込む。他方進入板２２２は、一方進入板２２０とは反対側を向いている。他方進入板２２２は、前述した木製床板２５０とは異なる木製床板２５０の対向面２６０に食い込む。
【００５７】
被固定部２１０は、第１板材２２６と、第２板材２２８とを有する。第１板材２２６に、一方進入部２２０および他方進入部２２２が固定されている。第２板材２２８は、第１板材２２６に固定され、他方進入部２２２と同じ方向へ突出する板材である。第２板材２２８が貫通孔２３０を有する。
【００５８】
一方進入板２２０の先端２７０は、その付け根よりも薄くなっている。他方進入板２２２の先端２７２も、その付け根よりも薄くなっている。
【００５９】
本実施形態において、他方進入板２２２は、止具通過孔２４０を有する。止具通過孔２４０は、貫通孔２３０に対向する位置に配置される。
【００６０】
次に、板固定金具２００を木製床板２５０と根太２５４とに取り付けるための手順を説明する。
【００６１】
まず、作業者は、平行に並べられた根太２５４の上にこれと直交するように木製床板２５０を置く。木製床板２５０が置かれると、作業者は、木製床板２５０と根太２５４とが交差するところに、板固定金具２００を置く。
【００６２】
板固定金具２００が置かれると、作業者は、第１の実施形態と同様、木製床板２５０を図示しない足で押さえ、打ち込み治具の打ち込み部３０４を板固定金具２００にあてがい、図示しないハンマーによって、打ち込み部３０４を繰返し叩く。打ち込み部３０４を叩いたことに起因する衝撃力によって、板固定金具２００の一方進入板２２０が木製床板２５０の対向面２６０に打ち込まれる。一方進入板２２０の先端６２は、その付け根より薄くなっているので、くさび作用により、スムーズに木製床板２５０の対向面２６０の中に食い込んでいく。
【００６３】
一方進入板２２０が木製床板２５０に十分食い込むと、作業者は、止具通過孔２４０を通して貫通孔２３０に木ネジ４００を挿入し（これにより木ネジ４００が貫通孔８０に装着される）、これをドライバーによって根太２５４へネジ込む。これにより、板固定金具２００は、根太２５４にネジ止めされる。
【００６４】
板固定金具２００が根太２５４にネジ止めされると、作業者は、新たな木製床板２５０に対し、切欠きを設ける。切欠きが設けられるのは、その木製床板２５０を固定したとき、第２板材２２８と干渉する部分である。この部分に切欠きが設けられると、その板固定金具２００の傍（根太２５４の上）に、切欠きが設けられた木製床板２５０を、先ほど一方進入板２２０が食い込んだ木製床板２５０と隣り合うよう並べる。切欠きが設けられた木製床板２５０が並べられると、作業者は、その木製床板２５０の側面（板固定金具２００に対向していない側）を図示しないハンマーで繰り返し叩く。木製床板２５０の側面を叩いたことに起因する衝撃力によって、板固定金具２００の他方進入板２２２はその木製床板２５０の対向面２６０に食い込んでいく。板固定金具２００の被固定部２１０は、一方の木製床板２５０と他方の木製床板２５０との対向面２６０，２６０間に、一方の木製床板２５０の上面２６２と他方の木製床板２５０の上面２６２とから突出しない状態で介在するように、根太２５４に固定される。
【００６５】
以上のようにして、本実施形態にかかる板固定金具２００は、平行に置かれた木製床板２５０，２５０同士をつなぎ、かつ、根太２５４にこれらを固定する。これにより、木製床板２５０，２５０に木ネジ４００を直接ネジ込まなくても、木製床板２５０，２５０を根太２５４に固定できる。木製床板２５０，２５０に木ネジ４００を直接ネジ込まなくてもよいので、木製床板２５０，２５０にネジ孔を設ける必要がなくなる。また、平行に置かれた木製床板２５０，２５０同士をつなぎ、かつ、根太２５４にこれらを固定するので、デッキが構築される。
【００６６】
今回開示された実施形態はすべての点で例示である。本発明の範囲は上述した実施形態に基づいて制限されるものではなく、本発明の趣旨を逸脱しない範囲で種々の設計変更をしてもよいのはもちろんである。
【００６７】
例えば、第３の実施形態に示す一方進入板１６２や他方進入板１６４の形状は、図９に示すような二股に分かれたものでなくともよい。その形状は、三又以上に分かれていてもよい。図１３は、一方進入板１６２や他方進入板１６４の形状の変形例を示す図である。第３の実施形態に限らず、一方進入板や他方進入板の形状は、二股に分かれたものでなくともよいし、三又以上に分かれていてもよい。さらに、図示したような形状の一方進入板１６２や他方進入板１６４に代え、釘状の形をした一方進入板や他方進入板が被固定部１６０に固定されていてもよい。それらは、溶接などによって被固定部１６０と一体となっていてもよいし、被固定部１６０から自由に取り外し可能なものであってもよい。
【００６８】
また、貫通孔の中心軸は、一方進入部の突出方向および他方進入部の突出方向と直交していてもよい。この場合、貫通孔は、被固定部の上から下まで鉛直に貫通していても良い。貫通孔の中心軸が、一方進入部の突出方向および他方進入部の突出方向に対して斜めに交差している場合には、貫通孔の中心軸は、板材の長手方向にあたる方向へ傾いていてもよい。さらに、貫通孔は、１つの被固定部に複数個設けられていてもよい。
【００６９】
また、本発明にかかる板固定金具は、金属板を溶接することによって製造されるものに限定されない。たとえば、本発明にかかる板固定金具は、板を所定の形状に打ち抜いた上で、それを折り曲げることにより製造されてもよい。
【００７０】
また、一方進入部の先端部分の形状は、他方進入部の先端部分の形状と異なっていてもよい。
【００７１】
また、本発明は、木製床板２５０や柱状の木製の根太２５４に対し、木製デッキの設置場所で実施できる程度の軽微な加工を施した上で実施してもよい。そのような加工の一例は、木製床板２５０の長手方向の側面に、電動ノコギリなどで簡単な溝を設けるというものである。この溝は、長手方向に沿う。この溝には、一方進入板６２，１２０，１６２，２２０の先端や他方進入板６４，１２２，１６４，２２２の先端を食い込ませる。この場合、公知の方法により木製床板２５０の位置を固定できるのであれば、一方進入板６２，１２０，１６２，２２０の先端や他方進入板６４，１２２，１６４，２２２の先端は、上述した溝の中に単に入っているだけでもよい。もちろん、木製床板２５０や柱状の木製の根太２５４に施す軽微な加工はこれに限定されない。
【００７２】
また、止具は、上述した木ネジ４００に限られない。例えば釘を用いてもよい。したがって、板固定金具１００を根太２５４に固定させるための工具も、ドライバーに限らない。
【符号の説明】
【００７３】
５０，１００，１５０，２００  板固定金具
６０，１１０，１６０，２１０  被固定部
６２，１２０，１６２，２２０  一方進入板
６４，１２２，１６４，２２２  他方進入板
７０，７２，１７０，１７２    先端部
８０，１３０，１８０，２３０  貫通孔
９０，９２，１４０，１４２，１９０，１９２，２７０，２７２  先端
２４０      止具通過孔
２５０      木製床板
２５４      根太
２６０      対向面
２６２      上面
３００      打ち込み治具
３０２      把持部
３０４      打ち込み部
３１２      ハンマー
４００      木ネジ
【図１】
2011026784.tif 000003
【図２】
2011026784.tif 000004
【図３】
2011026784.tif 000005
【図４】
2011026784.tif 000006
【図５】
2011026784.tif 000007
【図６】
2011026784.tif 000008
【図７】
2011026784.tif 000009
【図８】
2011026784.tif 000010
【図９】
2011026784.tif 000011
【図１０】
2011026784.tif 000012
【図１１】
2011026784.tif 000013
【図１２】
2011026784.tif 000014
【図１３】
2011026784.tif 000015